(57)【要約】【課題】  地上波デジタル放送信号のレベルよりも予め定めた値以上のレベルに、隣接妨害波のレベルがあるか否かを検出する。【解決手段】  希望波である地上デジタル放送信号を含み、さらに希望波の隣接チャンネルの妨害波である妨害波地上デジタル放送信号を含むことがある高周波信号を周波数変換した中間周波信号は、それに含まれる希望波に相当する信号である希望波中間周波信号のレベルがほぼ一定になるように自動利得制御されている。この中間周波信号から、妨害波に相当する信号である妨害波中間周波信号をバンドパスフィルタ４６ａ、４６ｂが抽出する。抽出された前記妨害波中間周波信号のレベルを検波回路４８ａ、４８ｂが検出する。  検出された妨害波中間周波信号のレベルを、希望波中間周波信号のレベルよりも予め定めたレベルだけ大きい値に設定した基準レベルと比較増幅器５０ａ、５０ｂが比較する。  この比較結果をＬＥＤ５４ａ、５４ｂが表示する。【選択図】        図１
2006287857.tif 000002
【特許請求の範囲】
【請求項１】
希望波である地上デジタル放送信号を含み、さらに前記希望波の隣接チャンネルの妨害波を含むことがある高周波信号を周波数変換した中間周波信号であって、それに含まれる前記希望波に相当する信号である希望波中間周波信号のレベルがほぼ一定になるように自動利得制御されたものから、前記妨害波に相当する信号である妨害波中間周波信号を抽出する抽出手段と、
抽出された前記妨害波中間周波信号のレベルを検出する検出手段と、
この検出手段によって検出された前記妨害波中間周波信号のレベルを、前記希望波中間周波信号のレベルよりも予め定めたレベルだけ大きい値に設定した基準レベルと比較する比較手段と、
この比較手段における比較結果を報知する報知手段とを、
有する隣接チャンネル妨害波検出装置。
【請求項２】
請求項１記載の隣接チャンネル妨害波検出装置において、
前記報知手段が表示手段である隣接チャンネル妨害波検出装置。
【請求項３】
請求項１記載の隣接チャンネル妨害波検出装置において、
前記抽出手段は、前記希望波の上側隣接チャンネルに相当する上側隣接チャンネル妨害波中間周波信号を抽出する第１の抽出手段と、前記希望波の下側隣接チャンネルに相当する下側隣接チャンネル妨害波中間周波信号を抽出する第２の抽出手段とを、含み、
前記検出手段は、前記上側隣接チャンネル妨害波中間周波信号のレベルを検出する第１の検出手段と、前記下側隣接チャンネル妨害波中間周波信号のレベルを検出する第２の検出手段とを、含み
前記比較手段は、第１の検出手段からの前記上側隣接チャンネル妨害波中間周波信号のレベルと前記基準レベルとを比較する第１の比較手段と、第２の検出手段からの前記下側隣接チャンネル妨害波中間周波信号のレベルと前記基準レベルとを比較する第２の比較手段とを、含む
隣接チャンネル妨害波検出装置。
【請求項４】
前記希望波中間周波信号を増幅する自動利得制御付き増幅手段と、この増幅手段から出力される増幅された前記希望波中間周波信号を他の周波数の信号に変換する周波数変換手段とを、備えた信号処理装置に設けられている、請求項１、２または３記載の隣接チャンネル妨害波検出装置。
【発明の詳細な説明】
【技術分野】
【０００１】
本発明は、地上波デジタル放送信号に対する隣接チャンネル妨害波を検出する装置に関する。
【背景技術】
【０００２】
従来、隣接妨害波の検出装置としては、例えば特許文献１に開示されているようなものがある。この検出装置は、ＦＭ放送受信機に設けられている。ＦＭ放送受信機のフロントエンドから出力される中間周波信号を、希望波に対する下側妨害信号を検出する下側隣接妨害検知用の狭帯域フィルタと、希望波に対する上側妨害信号を検出する上側隣接妨害検知用の狭帯域フィルタとに入力して、これらフィルタの出力信号を、これらフィルタごとに設けた整流回路によって整流し、これら整流回路の出力信号を、これら整流回路ごとに設けたコンパレータによって所定の基準電圧と比較している。そして、整流回路の出力信号が基準電圧以上になると、コンパレータの出力がハイレベルとなる。
【０００３】
【特許文献１】特開平５−３０００３５号公報
【発明の開示】
【発明が解決しようとする課題】
【０００４】
隣接妨害は、例えば地上波デジタル放送信号においても発生する。地上波デジタル放送信号が隣接妨害の影響を受けないようにするためには、希望波である地上波デジタル放送信号のレベルよりも予め定めた値以上のレベルを隣接妨害波が持っているか否かを知る必要がある。上記の検出装置では、コンパレータにおいて整流回路の出力信号と比較する基準電圧をどのようにして決定しているかについては何も示されていないので、上記検出装置を単に地上波デジタル放送信号を周波数変換した中間周波信号に適応しても、ある地上波デジタル放送信号のレベルよりも予め定めた値以上のレベルを隣接妨害波が持っているか否かを知ることはできない。特に、希望波である地上波デジタル放送信号のレベルが変化する場合には、そのレベルよりも予め定めた値に基準電圧を設定することが困難である。
【０００５】
本発明は、地上波デジタル放送信号のレベルよりも予め定めた値以上のレベルに、隣接妨害波のレベルがあるか否かを検出することができる隣接チャンネル妨害波検出装置を提供することを目的とする。
【課題を解決するための手段】
【０００６】
本発明の隣接チャンネル妨害波検出装置は、抽出手段を有している。この抽出手段には、中間周波信号が供給されている。この中間周波信号は、高周波信号を周波数変換したもので、高周波信号は、希望波である地上デジタル放送信号を含み、さらに前記希望波の隣接チャンネルの妨害波、例えば妨害波地上デジタル放送信号を含むことがある。前記の中間周波信号は、それに含まれている前記希望波に相当する信号である希望波中間周波信号のレベルがほぼ一定になるように自動利得制御されている。前記抽出手段は、この中間周波信号から、前記妨害波に相当する信号である妨害波中間周波信号を抽出する。検出手段が、抽出手段によって抽出された前記妨害波中間周波信号のレベルを検出する。この検出手段によって検出された前記妨害波中間周波信号のレベルを、前記希望波中間周波信号のレベルよりも予め定めたレベルだけ大きい値に設定した基準レベルと比較手段が比較する。この比較手段における比較結果を報知手段が報知する。前記自動利得制御には、例えば前記中間周波信号の信号経路中に可変利得調整手段と、この可変利得調整手段の出力側において前記希望波中間周波信号を抽出する希望波中間周波信号抽出手段と、この希望波中間周波信号抽出手段によって抽出された希望波中間周波信号のレベルを検出する検出手段と、この検出レベルに基づいて前記可変利得調整手段の利得を調整するものを使用することができる。前記報知手段としては、視覚的に認識させる表示手段や、聴覚的に認識させる音響手段を使用することができる。
【０００７】
このように構成された隣接チャンネル妨害波検出装置では、自動利得制御が行われているので、希望波中間周波信号のレベルは予め定めた値に制御され、しかもその値は殆ど変化しない既知のレベルである。従って、この既知のレベルに対して予め定めた値だけ大きく基準値を設定することができ、この基準値と妨害波中間周波信号のレベルとを比較することによって、地上デジタル放送信号に対する隣接チャンネル妨害が受信に障害が生じるような値であるか確認することができる。
【０００８】
前記抽出手段は、前記希望波の上側隣接チャンネルに相当する上側隣接チャンネル妨害波中間周波信号を抽出する第１の抽出手段と、前記希望波の下側隣接チャンネルに相当する下側隣接チャンネル妨害波中間周波信号を抽出する第２の抽出手段とを、含むものとできる。この場合、前記検出手段は、前記上側隣接チャンネル妨害波中間周波信号のレベルを検出する第１の検出手段と、前記下側隣接チャンネル妨害波中間周波信号のレベルを検出する第２の検出手段とを、含んでいる。更に、前記比較手段は、第１の検出手段からの前記上側隣接チャンネル妨害波中間周波信号のレベルと前記基準レベルとを比較する第１の比較手段と、第２の検出手段からの前記下側隣接チャンネル妨害波中間周波信号のレベルと前記基準レベルとを比較する第２の比較手段とを、含んでいる。
【０００９】
このように構成すると、上側隣接チャンネル妨害と下側隣接チャンネル妨害の双方が存在する場合でも、いずれか一方だけが存在する場合でも、各隣接チャンネル妨害を確実に検出することができる。
【００１０】
これらのような隣接チャンネル妨害波検出装置は、信号処理装置に設けられることがある。この信号処理装置は、前記希望波中間周波信号を増幅する自動利得制御付き増幅手段と、この増幅手段から出力される増幅された前記希望波中間周波信号を他の周波数の信号に変換する周波数変換手段とを、備えている。周波数変換手段は、例えば希望波中間周波信号を、元の希望波地上デジタル放送信号に周波数変換することもできる。この信号処理装置は、異なるチャンネルの希望波地上テレビジョン放送信号ごとに設けることができる。この場合、各信号処理装置ごとに、この隣接チャンネル妨害波検出装置が設けられる。
【００１１】
このように信号処理装置ごとに隣接チャンネル妨害波検出装置を設けると、隣接チャンネル妨害を受けている場合、それを信号処理装置の段階で知ることができるので、信号処理装置の段階で隣接チャンネル妨害の影響を除去する対策を取ることができる。
【発明の効果】
【００１２】
以上のように本発明によれば、希望波地上波テレビジョン放送信号に対して隣接チャンネル妨害波のレベルが予め定めた以上のレベル差があるか否かを容易に判定することができる。
【発明を実施するための最良の形態】
【００１３】
本発明の一実施形態の隣接チャンネル妨害波検出装置２は、図１に示すように地上波デジタル放送信号の信号処理装置、例えば共同受信システムのヘッドエンドにおいて使用するチャンネルプロセッサに使用されている。
【００１４】
このチャンネルプロセッサは、ダウンコンバータ４を有している。このダウンコンバータ４は、その入力端子４ａに供給された複数の高周波信号、例えば異なるチャンネルの複数の地上デジタル放送信号のうち、希望波地上デジタル放送信号を選択し、これよりも低いチャンネルの中間周波信号に周波数変換して、出力端子４ｂに出力する。希望波地上デジタル放送信号の上側隣接チャンネル及び下側隣接チャンネルの双方または一方にも地上波テレビジョン放送信号、例えば地上波デジタル放送信号が存在することがある。ダウンコンバータ４では、これら上側及び下側隣接チャンネルの地上デジタル放送信号は、フィルタ等によって減衰させることを行っているが、充分に減衰させることができないことがある。この場合、上記中間周波信号には、希望波地上デジタル放送信号を周波数変換した希望中間周波信号の他に、上側及び下側隣接チャンネルの地上デジタル放送信号を周波数変換した妨害波中間周波信号、例えば上側及び下側隣接妨害波中間周波信号が含まれることがある。
【００１５】
ダウンコンバータ４の出力端子４ｂからの中間周波信号は、アップコンバータ６の入力端子８に供給される。入力端子８に供給された中間周波信号は、分岐手段、例えば１分岐器１０を介して希望波中間周波信号抽出手段、例えばバンドパスフィルタ１２に供給される。このバンドパスフィルタ１２は、希望波中間周波信号を抽出する周波数特性を持つものである。従って、バンドパスフィルタ１２から、中間周波信号のうち希望波中間周波信号が抽出されて出力される。この希望波中間周波信号は増幅器１４によって増幅され、介して希望波中間周波信号抽出手段、例えばＳＡＷフィルタ１６ａに供給される。ＳＡＷフィルタ１６ａも、希望波中間周波信号を抽出する周波数特性を持ち、バンドパスフィルタ１２よりも狭帯域に構成されている。従って、ＳＡＷフィルタ１６ａから、より妨害波を除去した希望波中間周波信号が出力される。ＳＡＷフィルタ１６ａの出力信号は、増幅器１８ａによって増幅され、さらにＳＡＷフィルタ１６ａと同一のＳＡＷフィルタ１６ｂ、増幅器１８ａと同様な増幅器１８ｂによってさらに妨害波が除去され、増幅された希望波中間周波信号が出力される。
【００１６】
増幅器１８ｂの出力信号は、分岐手段、例えば１分岐器２０の分岐端子からレベル検出手段、例えば検波制御回路２２に供給される。検波制御回路２２は、増幅器１８ｂの出力信号である希望波中間周波信号のレベルを表す出力信号を発生し、これを予め定めたレベルと比較し、その差に対応する出力信号を発生する。この検波制御回路２２の出力信号は、入力端子８と１分岐器１０との間に設けられた可変利得調整手段、例えば可変減衰器２４に供給され、その減衰量が検波制御回路２２の出力信号に従って調整される。その結果、１分岐器２０の出力側には、自動利得制御された希望波中間周波信号が発生し、その希望波中間周波信号のレベルは、予め定められたレベルとほぼ一致する。
【００１７】
１分岐器２０の出力側に生じた希望波中間周波信号は、希望波中間周波信号抽出手段、例えばバンドパスフィルタ２６ａに供給され、さらに周波数変換手段、例えばミキサ２８に供給される。ミキサ２８には、局部発振回路３０から局部発振信号も供給されている。ミキサ２８は、希望波中間周波信号の周波数を局部発振信号に基づいて、所定の周波数、例えば元の地上デジタル放送信号と同じ周波数に周波数変換する。このミキサ２８の出力信号は、不要信号除去手段、バンドパスフィルタ３２ａに供給され、周波数変換する際に生じた不要信号が除去された後、増幅器３４ａによって増幅され、ローパスフィルタ３２ｂを介して利得調整手段、例えば可変減衰器３６に供給される。この可変減衰器３６は、手動調整手段、例えば可変抵抗器３８の操作によってその利得が調整される。そして、この可変減衰器３６の出力信号は、増幅器３４ｂによって増幅され、さらに、バンドパスフィルタ３２ａと同じ周波数特性を持つバンドパスフィルタ２６ｂを介して出力端子４０に供給される。このチャンネルプロセッサに供給された元の地上デジタル放送信号は、隣接チャンネルの妨害等の影響が除去された上に、可変減衰器３６を設けていることによって、レベルが変動することがなく所望のレベルに調整されて出力される。
【００１８】
このようなチャンネルプロセッサにおいて、隣接チャンネル妨害波検出装置２には、自動利得制御された中間周波信号が、１分岐器１０から分岐されて、更に増幅器４２で増幅されて入力される。この中間周波信号は、一定レベルに自動利得制御された希望波中間周波信号を含む上に、ダウンコンバータ４において充分に減衰されなかった上側及び下側隣接妨害波中間周波信号の双方または一方を含むことがある。
【００１９】
この中間周波信号は分配手段、例えば２分配器４４によって２分配される。２分配器４４からの一方の分配出力は、妨害波中間周波信号抽出手段、例えば上側隣接妨害波抽出手段、具体的にはバンドパスフィルタ４６ａを有している。このバンドパスフィルタ４６ａの周波数特性は、上側隣接チャンネルの中間周波信号のみを抽出するように選択された狭帯域のものである。このバンドパスフィルタ４６ａの出力信号は、抽出された前記妨害波中間周波信号のレベルを検出する検出手段、例えば検波回路４８ａに供給されている。検波回路４８ａの出力信号は、上側隣接チャンネルの中間周波信号のレベルを表している。
【００２０】
この検波回路４８ａの出力信号は、比較手段、例えば比較増幅器５０ａに供給されている。この比較増幅器５０ａには、基準レベル発生手段、例えば基準レベル発生回路５２から基準レベル信号も供給されている。この基準レベル発生回路５２には、一端が例えば＋Ｖの電圧を発生する電源回路に接続され、他端が例えば基準電位点に接続された可変抵抗器５２ａが使用される。この基準レベル発生回路５２は、可変抵抗器５２ａを調整することによって基準レベル信号を変更可能である。基準レベル信号は、希望波中間周波信号のレベル（これは自動利得制御によって予め定められた値に制御されており、既知である。）よりも予め定めたレベルだけ大きい値、例えば＋１０ｄＢに相当するレベルに設定されている。
【００２１】
比較増幅器５０ａは、検波回路４８ａの出力信号が基準レベル信号よりも大きいとき、報知手段、例えば表示手段、具体的にはＬＥＤ５４ａに、これが点灯するように制御信号を供給する。即ち、ＬＥＤ５４ａは、上側隣接チャンネル中間周波信号のレベルが、希望波中間周波信号のレベルよりも＋１０ｄＢよりも大きいときに点灯する。
【００２２】
２分配器４４の他方の分配出力は、妨害波中間周波信号抽出手段、例えば下側隣接妨害波抽出手段、具体的にはバンドパスフィルタ４６ｂに供給されている。このバンドパスフィルタ４６ｂの周波数特性は、下側隣接チャンネルの中間周波信号のみを抽出するように選択された狭帯域のものである。このバンドパスフィルタ４６ａの出力信号は、検波回路４８ａと同様な検波回路４８ｂに供給され、検波回路４８ｂの出力信号は、誤差増幅器５０ａと同様な誤差増幅器５０ｂに供給されている。誤差増幅器５０ｂには、基準レベル発生回路５２からの基準レベル信号が供給されている。この誤差増幅器５０ｂは、検波回路４８ｂの出力信号が基準レベル信号よりも大きいとき、ＬＥＤ５４ａと同様なＬＥＤ５４ｂに、これが点灯するように制御信号を供給する。即ち、ＬＥＤ５４ｂは、下側隣接チャンネル中間周波信号のレベルが、希望波中間周波信号のレベルよりも＋１０ｄＢよりも大きいときに点灯する。
【００２３】
図２（ａ）は、希望波中間周波信号のレベルよりも、上側隣接妨害波中間周波信号及び下側隣接妨害波中間周波信号のレベルが大きいが、そのレベル差Ｄが１０ｄＢ以下の場合を示している。この場合には、どちらのＬＥＤ５４ａ、５４ｂも点灯しない。従って、希望波中間周波信号は、隣接チャンネル妨害の影響を受けていないことが判る。
【００２４】
同図（ｂ）は、上側隣接妨害波中間周波信号のレベルが希望波中間周波信号のレベルよりも大きく、その差Ｄ１が＋１０ｄＢ以上であり、下側隣接妨害中間周波信号のレベルが希望中間周波信号のレベルよりも小さい場合を示している。この場合には、ＬＥＤ５４ａが点灯し、希望波中間周波信号が上側隣接チャンネルの妨害を受けていることが判る。
【００２５】
同図（ｃ）は、下側隣接妨害波中間周波信号のレベルが希望波中間周波信号のレベルよりも大きく、その差Ｄ２が＋１０ｄＢ以上であり、上側隣接妨害中間周波信号のレベルが希望中間周波信号のレベルよりも小さい場合を示している。この場合には、ＬＥＤ５４ｂが点灯し、希望波中間周波信号が上側隣接チャンネルの妨害を受けていることが判る。
【００２６】
図示していないが、上側及び下側隣接中間周波信号のレベルが、共に希望波中間周波信号のレベルよりも＋１０ｄＢ以上大きい場合には、ＬＥＤ５４ａ、５４ｂが点灯する。
【００２７】
このようにＬＥＤ５４ａ、５４ｂが点灯するか否かによって、希望波中間周波信号が隣接妨害の影響を受けているか否かが判り、またＬＥＤ５４ａ、５４ｂのいずれが点灯するか或いは両方が点灯するかによって、上側または下側の隣接妨害を受けているのか双方の隣接妨害を受けているのかが判る。
【００２８】
この実施の形態では、隣接妨害中間周波信号を抽出するために、上側隣接中間周波信号の抽出用のバンドパスフィルタ４６ａと、下側隣接中間周波信号の抽出用のバンドパスフィルタ４６ｂとを、個別に設けている。上側及び下側隣接中間周波信号をそれぞれ個別に検出しているので、妨害がある場合、上側及び下側いずれの隣接チャンネルの妨害であるかを明確に判断することができ、それに対する対処法も容易に判明する。
【００２９】
上記の実施の形態では、表示手段として、ＬＥＤ５４ａ、５４ｂを使用したが、これに限ったものではなく、文字や図柄を表示することが可能な表示装置、例えば液晶表示装置や有機ＥＬ表示装置を設け、これに上側隣接妨害及び／または下側隣接妨害を受けている旨を表す文字及び／または図柄を表示することもできる。この場合には、表示手段は、上側隣接妨害用と下側隣接妨害用とに個別に設けることもできるし、１台の表示手段に上側隣接妨害及び／または下側隣接妨害を受けている旨の文字及びまたは図柄を表示することもできる。なお、上記の実施の形態では、ＬＥＤ５４ａ、５４ｂを単に点灯させるだけであるが、例えば妨害波と希望波とのレベル差が予め定めた値よりも大きい場合、そのレベル差が大きければ大きいほど、点灯する時の輝度を大きくすることもできる。また、報知手段の一例として表示手段を使用したが、これに限ったものではなく、例えばブザー等の音響手段を使用することもできる。上記の実施の形態では、上側及び下側隣接妨害波抽出手段としてバンドパスフィルタ４６ａ、４６ｂを使用したが、これに限ったものではなく、例えばＳＡＷフィルタを使用することもできる。上記の実施の形態では、妨害波となる上側及び／または下側隣接チャンネルも地上デジタル放送信号としたが、地上アナログテレビジョン放送信号の場合もある。この場合、基準レベル発生回路５２からの基準レベル信号は、地上アナログテレビジョン放送信号に応じた適切なものに選択する。なお、上記の実施の形態では、基準レベル信号は、希望中間周波信号のレベルよりも予め定めたレベルだけ大きい値、例えば＋１０ｄＢに相当するレベルに設定したが、他の値に設定することもできる。
【図面の簡単な説明】
【００３０】
【図１】本発明の１実施形態の隣接チャンネル妨害波検出装置を実施したチャンネルプロセッサのブロック図である。
【図２】図１の隣接チャンネル妨害波検出装置における希望波中間周波信号と上側及び下側隣接妨害波中間周波信号との関係を示す図である。
【符号の説明】
【００３１】
２  隣接チャンネル妨害波検出装置
４６ａ  ４６ｂ  バンドパスフィルタ（抽出手段）
４８ａ  ４８ｂ  検波回路（検出手段）
５０ａ  ５０ｂ  比較増幅器（比較手段）
５４ａ  ５４ｂ  ＬＥＤ（表示手段）
【図１】
2006287857.tif 000003
【図２】
2006287857.tif 000004